(57)【要約】      （修正有）【課題】従来の薬剤徐放具と異なり少ない容積の担体を用いても十分な量の薬剤液を保持させることが可能で長期にわたって放出させる用途や小型化して狭い箇所に設置するなど各種の用途に適用することが可能であるばかりか薬剤の放出量も調整可能な薬剤徐放具を提供すること。【解決手段】連続気孔を有するＰＶＡスポンジからなる担体に徐々に薬剤を放出する薬剤液を含浸させた薬剤発生部材３を、少なくとも一部に開放部を有する外容器２に挿入、配置するとともに、外容器に形成された開放部をガス透過性シート５により覆う。【選択図】図１
2015146920.tif 000002
【特許請求の範囲】
【請求項１】
連続気孔を有するＰＶＡスポンジからなる担体に徐々に薬剤を放出する薬剤液を含浸させた薬剤発生部材が、少なくとも一部に開放部を有する外容器に挿入、配置されているとともに、前記外容器に形成された開放部がガス透過性シートにより覆われていることを特徴とする薬剤徐放具。
【請求項２】
前記外容器の少なくともガス透過性シートにより覆われている開放部が更にガス不透過性シートにより密封されていることを特徴とする請求項１記載の薬剤徐放具。
【請求項３】
前記ＰＶＡスポンジが平均孔径６０〜７００μｍの連続気孔で且つ平均気孔率が８５〜９５％であることを特徴とする請求項１又は２記載の薬剤徐放具。
【請求項４】
前記ＰＶＡスポンジが水分を吸収すると膨潤し吸収した水分の減少により体積が減少しつつ固化へと移行する性質を有することを特徴とする薬剤徐放具。
【請求項５】
前記ガス透過性シートが液体不透過性であることを特徴とする請求項１，２，３または４記載の薬剤徐放具。
【発明の詳細な説明】
【技術分野】
【０００１】
本発明は、例えば殺菌剤、消臭剤、芳香剤、消毒剤等の薬剤を徐放（徐々に放つ）効果を発揮させながら空中に発散させるために用いられる薬剤徐放具に関するものである。
【背景技術】
【０００２】
従来より、例えば殺菌剤、消臭剤、芳香剤、消毒剤等の各種の薬剤を徐放効果を発揮させながら空中に発散させるために用いられる薬剤徐放具が知られており、例えば液状の薬剤を例えば不織布等の担体に浸みこませる等により保持させた薬剤発生部材を液体不透過性の硬質または軟質の容器に収容して前記容器に形成した透孔などから放出させるものが、例えば特開２００６−２１２１０４号公報、特開２０１２−１７６０５０号公報、特開２０１２−９０７４３号公報、特開２００２−３６２６６０号公報などに提示されている。
【０００３】
しかしながら、これらの公報に提示されている薬剤徐放具は薬剤を浸み込ませたりして保持させる担体が不織布などのようないわゆる毛管現象により保持させるものであって多量に薬剤液を保持させると零れてしまうことから薬剤の蓄積量が少なく、長く放出させるために必要な量の薬剤を保持させることが困難で長期の使用に適さず、また、薬剤液の保持容量を増やすためには担体の面積や容積を大きくする必要があったり、担体が直接外気に通じる構成であることから使用時における漏れの心配があり用途や使用態様も限られてしまうという問題があった。更に、例えばポリウレタンスポンジなどの発泡体を担体としたものも見受けられるが、従来使用されているスポンジは気孔径が粗いばかりか気孔率も十分でないことから薬剤液の保持量が十分でなかったり製品を傾けたり軽く押圧した程度でも薬剤液が離脱津して漏れてしまうという心配もある。
【０００４】
また、例えば特開２００４−２３１２５８号公報、特開２００９−１７９３３０号公報、特開２０１３−７８４０１号公報などにガス透過性シートを開口に付設して薬剤を揮発させるものが提示されているが、これらの公報に提示されているものは薬剤か揮発性のものであって例えば殺菌剤や消毒剤のような水溶液とした薬剤についてガス透過性シートを用いたものではない。
【先行技術文献】
【特許文献】
【０００５】
【特許文献１】特開２００６−２１２１０４号公報
【特許文献２】特開２０１２−１７６０５０号公報
【特許文献３】特開２０１２−９０７４３号公報
【特許文献４】特開２００２−３６２６６０号
【特許文献５】特開２００４−２３１２５８号公報
【特許文献６】特開２００９−１７９３３０号公報
【特許文献７】特開２０１３−７８４０１号公報
【発明の概要】
【発明が解決しようとする課題】
【０００６】
本発明は、前記従来の薬剤徐放具と異なり少ない容積の担体を用いても十分な量の薬剤液を保持させることが可能で長期にわたって放出させる用途や小型化して狭い箇所に設置するなど各種の用途に適用することが可能であるばかりか薬剤の放出量も調整可能な薬剤徐放具を提供することを課題とする。
【課題を解決するための手段】
【０００７】
前記課題を解決するためになされた本発明である薬剤徐放具は、連続気孔を有するＰ
ＶＡスポンジからなる担体に徐々に薬剤を放出する薬剤液を含浸させた薬剤発生部材が、少なくとも一部に開放部を有する外容器に挿入、配置されているとともに、前記外容器に形成された開放部がガス透過性シートにより覆われていることを特徴とする。
【０００８】
本発明である薬剤徐放具は、薬剤発生部材を形成するための薬剤液を保持させる担体が気孔径や気孔率に優れているばかりか基材自体が親水性である吸水性の高いＰＶＡスポンジにより形成されているので従来の不織布やポリウレタンスポンジに比べて単位体積当たりの保持量がきわめて多く長期の使用が可能であるばかりか同じ使用期間であれば小型化が可能であり、更に保持させた状態の薬剤液を強固に保持するので外容器を傾けたり軽く押圧したときにポリウレタンスポンジのように容易に離脱してしまうこともない。
【０００９】
特に、ガス透過性シートについて所望の気孔径や気孔率のものを選択することによりＰＶＡスポンジを担体とする薬剤発生部との組み合わせにより所望の用途や仕様についての適用が可能である。
【００１０】
また、本発明において、外容器の少なくともガス透過性シートにより覆われている開放部が更にガス不透過性シートにより密封されていることにより、前記ガス不透過性シートを剥がして使用するまでの間に薬剤が放出してしまう心配がない。
【００１１】
更に、本発明において、前記ＰＶＡスポンジが平均孔径６０〜７００μｍの連続気孔で且つ平均気孔率が８５〜９５％である場合には薬剤液について保持や徐放に適しており、前記ＰＶＡスポンジが水分を吸収すると膨潤し吸収した水分の減少により体積が減少しつつ固化へと移行する性質を有している場合には使用前と使用済み時の外容積が変化することから使用済み、即ち、薬効が生じない状態か否かが外観や触感で容易に判断可能であり、特に、外容器を硬質材により形成した場合には外容器を振った場合に生じる衝撃音や衝撃振動により視覚や触感以外でも確認可能であって、無臭の薬剤を用いる場合には薬効の確認も容易である。
【００１２】
加えて、前記ガス透過性シートを液体不透過性とすることにより使用中に薬剤液が零れる心配がなく、また、ガス透過性シートで外容器を形成することも可能である。
【発明の効果】
【００１３】
本発明によれば、少ない容積の担体を用いても十分な量の薬剤液を保持させることが可能で長期にわたって放出させる用途や小型化して狭い箇所に設置するなど従来にない各種の用途に適用することが可能であるばかりか薬剤の放出量も調整可能である。
【図面の簡単な説明】
【００１４】
【図１】本発明の実施の形態を示す斜視図。
【図２】本発明の異なる実施の形態を示す斜視図。
【図３】本発明の異なる実施の形態を示すものであり、（ａ）は使用状態を示す説明図、（ｂ）は斜視図。
【図４】本発明の異なる実施の形態を示す斜視図。
【発明を実施するための最良の形態】
【００１５】
図１は本発明を床や棚など載置して使用する例えば薬剤として芳香剤や消臭剤などを用いた薬剤徐放具についての実施の形態を示すものであり、薬剤徐放具１は、例えばガラスや耐薬剤性の硬質合成樹脂などにより形成されて頂面を開口した適宜の高さを有する有底筒状の外容器２に連続気孔を有するＰＶＡスポンジからなる担体に徐々に薬剤を放出する
芳香剤などの薬剤液を含浸させた薬剤発生部材３が挿入、配置されているとともに、前記外容器２の頂部に形成されている開放部２１がガス透過性シート４により覆われている。
【００１６】
更に詳しく説明すると、前記薬剤発生部材３に使用されている担体であるＰＶＡスポンジとしては〔アイオン株式会社製：商品名「ベルイーター」（登録商標）気孔径８０〜２００μｍ、気孔率８９〜９０、保水率１０００〜１３００、水での膨張率６％〕を用いて外容器にほぼ嵌挿可能な円柱状に形成されており、特に、乾燥状態（硬化した状態）で横方向に移動可能な隙間が形成されるとともに薬剤液を浸みこませたときに膨潤して外容器２の内壁に当接して横方向に移動不可能な径に形成すると好ましい。
【００１７】
また、前記ガス透過性シート４は、種々の材料で形成できるが、担体に保持させた薬剤液から放出される薬剤ガスを透過させることができ、且つ、薬剤ガスがガス透過性シート４を透過する透過速度が、このガス透過性シート４を透過した薬剤ガスが空気中に放出される放出速度以下であるものを使用することが好ましく、例えば三菱樹脂株式会社製の透湿シート「ＫＴＦ」のようなポリオレフィン系のシートを用いることができるが、他のシートであってもよいことはいうまでもない。
【００１８】
本実施の形態である薬剤徐放具は、前述のように例えば外容器に連続気孔を有するＰＶＡスポンジからなる担体に徐々に薬剤を放出する芳香剤などの薬剤液を含浸させた薬剤発生部材３を挿入し、開口部にガス透過性シートを張着して製品とするが、未使用時に薬剤がガス透過性シートを通過して徐放してしまうのを避けるため例えば外容器２の開口部を含めてガス透過性シートの前面をガス不透過性のシート５や蓋体（図示せず）で密封しておくことにより保管や運搬など使用までの徐放を阻止する手段が採られる。
【００１９】
そして、本実施の形態である薬剤徐放具１を使用するには前記ガス不透過性のシート５や蓋体（図示せず）を取り去ってガス透性シート４を露出させて徐放させればよい。尚、このときに、ガス透過性シート４の露出面積に応じて外容器２内に配置した薬剤発生部材３から放出される時間当たりの徐放量を調節することが可能であることから、従来のこの種の芳香剤などと同様に使用期間を調節することも可能である。
【００２０】
加えて、本実施の形態では、担体を乾燥状態（硬化した状態）で横方向に移動可能な隙間が形成される形状に形成してあることから、外容器２を振るなどして薬剤発生部材３が揺動することで衝撃音が生じるので寿命が視覚や振ったときの衝撃音から確認することができるという利点を有している。
【００２１】
図２は本発明を例えば特開２０１２−９０７４３号公報などに提示されている名札型の空気浄化用具のような携帯して使用する薬剤徐放を用いた薬剤徐放具についての実施の形態を示すものであり、薬剤徐放具１は、例えばガスおよび水分等の不透過性の単体または複合体により形成されたシートにより水密および気密性を有して袋状に形成された外容器２内に連続気孔を有するＰＶＡスポンジからなる担体に徐々に薬剤を放出する殺菌剤などの薬剤液を含浸させた板状（シート状）または粒状の薬剤発生部材３が挿入、配置されているとともに、前記外容器２の前面に形成されている複数の開放部２１が水分不透過性であるガス透過性シート４により覆われている。
【００２２】
尚、前記ＰＶＡスポンジからなる担体ならびにガス透過性シート４については前記図１に示した実施の形態と同様のものが使用可能である。また、本実施の形態に用いられる薬剤液としては、例えば二酸化塩素ガスを過酸化炭酸ナトリウム水溶液等に溶解させて安定化させたもののように二酸化塩素ガスを徐々に放出するもの等を用いることができる。
【００２３】
以上の構成を有する本実施の形態は前記外容器２の少なくとも前記開放部２１をガス不
透過性シート５で覆い、または外容器２全体をガス不透過性の包装シートで覆う（図示せず）などして保管、運搬など使用時まで徐放を抑制し、使用時に前記不透過性シート５や包装シートを剥がして使用する。
【００２４】
尚、本実施の形態では、首掛式の名札の場合を示したが、例えばピンや面ファスナーなどで衣服などに止める形式のものについても同様に実施することができるものである。
【００２５】
本実施の形態である薬剤徐放具によると、例えば担体シート状に形成する場合などには従来の粒状の担体を用いる場合のように硬質の担体が前後方向に嵩張ることなく装着感に優れているばかりか薬剤液の保持量を多くすることも可能であり、更に、薬剤液が放出した際に硬化する担体を用いる場合には外容器２を振ることにより音や衝撃感で或いは外容器２の外側から押圧することにより触覚で薬剤液が放出されて薬効が生じない状態を簡単且つ確実に確認することができるのできわめて安心である。
【００２６】
図３（ａ）は、本発明を透明マスクについて実施した場合の好ましい実施の形態を示すものであり、本実施の形態では透明マスク６は内側を顎に当てる顎当て部とした適宜の硬度を有する硬質合成樹脂性の基部６１の上部に透明な硬質合成樹脂製のマスク本体６２が一体的に立設されているとともに前記基部６１の両端に耳掛部６３，６３が付設されたものであり、前記基部６１の頂面６４に本発明である薬剤徐放具１を着脱自由に嵌挿、配置する取付凹部６５が形成されている。
【００２７】
更に詳細に説明すると、薬剤徐放具１は図３（ｂ）に示すように、前記図３（ａ）に示した基部６１に形成された取付凹部６５に嵌挿可能な外形を有する頂面を開口した有底筒状の外容器２に連続気孔を有するＰＶＡスポンジからなる担体に徐々に薬剤を放出する前記図２に示した実施の形態について使用した殺菌剤である薬剤液を含浸させた薬剤発生部材３が挿入、配置されているとともに、前記外容器２の頂部に形成されている開放部２１が例えば溶着などの手段でガス透過性シート４により覆われている。
【００２８】
そして、本実施の形態を使用するには、薬剤徐放具１を前記透明マスク６の基部６１に形成した取付凹部６５に嵌め込んで使用する。本実施の形態である透明マスク６を装着したときに基部６１の部分から殺菌剤のガスが放出されるので特に呼吸器から細菌が進入するのを有効に防ぐばかりか特に使用者が疾患状態であって口や鼻から汚染物質が排出されても即座に殺菌されるので他人への感染を有効に阻止することができるものであるなど各種の用途に使用することができるものである。
【００２９】
本実施の形態はそのままではガス透過性シート４を介して薬剤ガスが放出してしまうことになるので薬剤徐放具１全体または少なくともガス透過性シート４部分をガス不透過性シートにより被覆するなどの措置が必要であるが、例えばガス不透過性のシート材を用いたブリスターパック包装を用いることにより携行を含めて便利に保管、使用することができる。
【００３０】
図４は本発明における更に異なる実施の形態を示すものであり、外容器２が主として空気浄化が必要な室内の壁面などに沿って配置される形状の例えばパネル状に形成されており、内部に前記実施の形態と同様に、連続気孔を有するＰＶＡスポンジからなる担体に徐々に薬剤を放出する前記図２に示した実施の形態について使用した殺菌剤である薬剤液を含浸させたシート状の薬剤発生部材３が挿入、配置されているとともに、前記外容器２の前面に形成されている開放部２１がガス透過性シート４により覆われている。
【００３１】
本実施の形態は、例えば持ち運び可能な大きさに形成されると都合がよく、使用環境に応じて適宜の数を壁面や天井、床面に、更には作業台や各種機器の側面などに沿って設置
して使用される。通常の家庭はいうまでもなく、病院や食品加工場など殺菌した雰囲気を必要とする用途に最適である。
【００３２】
尚、本実施の形態は外容器２の裏面などに設けた掛止部材（図示せず）により壁面に付設して使用するが、外容器を開閉式として薬剤発生部材３を交換可能としてもよい。この場合にはガス透過性シート４により外容器２と同一にすることになる。
【００３３】
尚、本発明は前述した本実施の形態として示した殺菌剤や芳香剤以外、例えば消臭剤、消毒剤、防かび剤、酸素剤など各種の気体を発生させる薬剤液について同様に実施することができるものである。
【符号の説明】
【００３４】
１  薬剤徐放具、２  外容器、３  薬剤発生部材、４  ガス透過性シート、５  ガス不透過性シート、２１  開放部 
【図１】
2015146920.tif 000003
【図２】
2015146920.tif 000004
【図３】
2015146920.tif 000005
【図４】
2015146920.tif 000006